(57)【要約】【課題】薄型表示部を備えた映像表示装置本体において奥行きを十分確保できない場合でも音響特性に必要なダクト長を確保して十分なレベルの低音域を再生可能とする。【解決手段】バスレフ型スピーカ装置は、前面キャビネット１及び背面キャビネット２からなるスピーカボックスと、該スピーカボックス内に取り付けられたスピーカユニット３と、該スピーカユニット３の背面からの音を位相反転させて前面に放射する筒状のバスレフダクト４とを有する。バスレフダクト４は、断面円弧状に分割した２つのダクト部材（４ａ及び４ｂ）からなり、１又は複数の略円弧状に湾曲した湾曲部と、該湾曲部の両端に延長する直線部とを有し、ダクト部材４ｂが背面キャビネット２の内側に固定又は一体成形されている。これにより内部にバスレフダクト４を内蔵したスピーカボックスの大きさを高さ、幅、奥行きとも小さくすることができる。【選択図】        図１
2004343548.tif 000002
【特許請求の範囲】
【請求項１】
前面キャビネット及び背面キャビネットからなるスピーカボックスと、該スピーカボックス内に配設されたスピーカユニットと、該スピーカユニットの背面から出る音を位相反転させて前面に放射する筒状のダクトとを有するバスレフ型スピーカ装置において、前記ダクトは、筒状の長手方向に分割した２つのダクト部材からなり、１又は複数の略円弧状に湾曲した湾曲部を有し、前記ダクト部材のうちいずれか１つのダクト部材が前記背面キャビネット又は前面キャビネットの内側に固定又は一体成形されていることを特徴とするバスレフ型スピーカ装置。
【請求項２】
請求項１に記載のバスレフ型スピーカ装置において、前記ダクトは、筒状の長手方向に断面円弧状に分割した２つのダクト部材からなり、１又は複数の略円弧状に湾曲した湾曲部と、該湾曲部の一端又は両端に延長する直線部とを有し、前記ダクト部材のうちいずれか１つのダクト部材が前記背面キャビネット又は前面キャビネットの内側に固定又は一体成形されていることを特徴とするバスレフ型スピーカ装置。
【請求項３】
請求項１又は２に記載のバスレフ型スピーカ装置において、前記ダクトは、前記２つのダクト部材の接合面を接着することにより形成されていることを特徴とするバスレフ型スピーカ装置。
【請求項４】
請求項２又は３に記載のバスレフ型スピーカ装置において、前記ダクトの直線部のうち最も長い直線部は、前記前面キャビネットと略平行に配設されていることを特徴とするバスレフ型スピーカ装置。
【請求項５】
請求項２乃至４のいずれか１に記載のバスレフ型スピーカ装置において、前記背面キャビネット又は前面キャビネットの内側に固定又は一体成形された前記ダクト部材の直線部の長さは、前記ダクトを形成する他のダクト部材の直線部の長さよりも長いことを特徴とするバスレフ型スピーカ装置。
【請求項６】
請求項２乃至５のいずれか１に記載のバスレフ型スピーカ装置において、前記前面キャビネットは、前記ダクトの湾曲部から延長した直線部を前面へ突出させるためのダクト開口部を有し、前記湾曲部が前記前面キャビネットのダクト開口部の近傍に配設されていることを特徴とするバスレフ型スピーカ装置。
【請求項７】
請求項６に記載のバスレフ型スピーカ装置において、前記ダクト開口部から前面へ突出させた前記ダクトの直線部の先端内面の口径が、該ダクトの湾曲部から延長した他の直線部の先端内面の口径よりも大きいことを特徴とするバスレフ型スピーカ装置。
【請求項８】
請求項６又は７に記載のバスレフ型スピーカ装置において、前記前面キャビネットのダクト開口部の形状を、前記スピーカユニット開口面の方向と異なる方向にテーパ状に広げることにより、前記ダクト開口部から前面へ突出させた前記ダクトの直線部先端からの音の放音方向を前記スピーカユニット開口面の方向と異なる方向としたことを特徴とするバスレフ型スピーカ装置。
【請求項９】
前面キャビネット及び背面キャビネットからなるスピーカボックスと、該スピーカボックス内に配設されたスピーカユニットと、該スピーカユニットの背面から出る音を位相反転させて前面に放射する蝸牛形状のダクトとを有するバスレフ型スピーカ装置において、前記ダクトは、断面円弧状に分割した２つのダクト部材からなり、該ダクト部材のうちいずれか１つのダクト部材が前記背面キャビネット又は前面キャビネットの内側に固定又は一体成形されていることを特徴とするバスレフ型スピーカ装置。
【請求項１０】
請求項９に記載のバスレフ型スピーカ装置において、前記ダクトは、前記２つのダクト部材の接合面を接着することにより形成されていることを特徴とするバスレフ型スピーカ装置。
【請求項１１】
請求項１乃至１０のいずれか１に記載のバスレフ型スピーカ装置を内蔵した映像表示装置。
【請求項１２】
請求項１１に記載のバスレフ型スピーカ装置を内蔵した映像表示装置において、映像を表示する表示部を備えた表示部筐体を有し、該表示部筐体は、前記表示部下部の左右２ヶ所に前記バスレフ型スピーカ装置を設けると共に、筐体下部の略中央部を尖形としたことを特徴とするバスレフ型スピーカ装置を内蔵した映像表示装置。
【発明の詳細な説明】
【０００１】
【発明の属する技術分野】
本発明は、バスレフ型スピーカ装置及び該バスレフ型スピーカ装置を内蔵した映像表示装置、より詳細には、小型軽量のバスレフ型スピーカ装置及び液晶表示装置（ＬＣＤ）やプラズマディスプレイ装置（ＰＤＰ）等の薄型表示部を備えた映像表示装置に関するものである。
【０００２】
【従来の技術】
スピーカシステムにおける低音の再生は、キャビネットによって左右されるが、キャビネットには様々な形式があり、それぞれ必要とされる音響装置の大きさや形状、システムに応じて特徴をもった音を再生する。このような音の再生を考慮したキャビネットの１つに、スピーカの背面から出た音波を積極的に利用するバスレフ型スピーカが用いられている。このバスレフ型スピーカは位相反転型とも呼ばれ、低音再生能力を高めるため、スピーカを設けたバッフル板に開口及びダクトを設け、スピーカの振動板の背面から出た音の位相を反転させ、ダクトを介して開口部から外部に放射させることにより、スピーカの振動面から全面に放射する低音特性を増強するように設計されたものである。このような位相反転型キャビネットを用いれば、スピーカユニットの実力以上の低音まで平坦に再生することができる。
【０００３】
図１３は、従来のバスレフ型スピーカ装置の断面図である。図１３（Ａ）において、４０はバスレフ型スピーカ装置で、該バスレフ型スピーカ装置４０（以下、スピーカ装置４０という）は、ダクト４１ａ，スピーカユニット４２を有する。図１３（Ｂ）において、スピーカ装置４０は、ダクト４１ｂ，スピーカユニット４２を有する。図１３（Ａ）又は（Ｂ）に示すスピーカ装置４０を、例えば、液晶表示装置（ＬＣＤ）やプラズマディスプレイ装置（ＰＤＰ）等の薄型表示部を備えた映像表示装置に内蔵する場合、その映像表示装置本体の厚み（例えば、約１０〜２０ｃｍ程度）による奥行き寸法の制約があるために、内蔵するスピーカ装置４０の奥行き寸法を小さくする必要がある。従って、スピーカ装置４０に内蔵するダクト４１ａ又は４１ｂのダクト長を十分に確保することができず、バスレフ型スピーカとしての特徴ある低音効果を維持しつつ迫力ある低音を再生することが困難であった。
【０００４】
上記課題を解決するために、バスレフ型スピーカ装置において、スピーカボックスを表側キャビネット及び裏側キャビネットで形成し、両方のキャビネットにそれぞれ円筒ダクトを形成することでダクト長を確保するようにしたものが開示されている（例えば、特許文献１参照）。これは、第１の円筒（第１のダクト）及び第２の円筒（第２のダクト）をそれぞれ表側キャビネット及び裏側キャビネットに一体形成し、これらのキャビネットを組み合わせて筒形状のダクト構造を構成するようにしたもので、このようなダクト構造によりダクトを折り返すことができるため、ダクト長を長くとることができる。
【０００５】
また、スピーカボックスを形成する壁部材の一面にダクトの長手方向側面を固定することにより、補強部材を用いないで低音特性を改善できるようにしたものが開示されている（例えば、特許文献２参照）。
【０００６】
【特許文献１】
特開平５−１８３９７６号公報
【特許文献２】
特開平６−２１７３８５号公報
【０００７】
【発明が解決しようとする課題】
しかしながら、上記特許文献１に記載の発明の場合、第１の円筒及び第２の円筒の形成方向は、スピーカボックスの奥行き方向で且つ直線状のダクト構造であるために、スピーカ装置を一定寸法以上に薄型にすることが難しく、また、ダクトが直線状に折り返す構造で且つ放音時の風圧が裏側キャビネットの壁面に直接当たる構造であるために、風切音の低減が難しいという問題があった。また、ダクト長を変更するには、スピーカボックスの表側キャビネット及び裏側キャビネットのいずれかをキャビネットごと作りかえる必要があった。
また、上記特許文献２に記載の発明の場合、ダクトの出口から風切音が発生し易いという問題は解決されていない。
【０００８】
本発明は、上述のごとき実情に鑑みてなされたものであり、薄型表示部を備えた映像表示装置の本体と一体化構造とすることを可能とし、その映像表示装置本体の奥行きと同程度にまで小型、薄型化が可能なバスレフ型スピーカ装置及び該スピーカ装置を内蔵した映像表示装置を提供すること、より具体的には、薄型表示部を備えた映像表示装置本体において奥行きを十分確保できない場合でも必要なダクト長を確保して十分なレベルの低音域を再生可能とすると共に、ダクト内部及び出口付近における風切音の発生を防止可能としたバスレフ型スピーカ装置及び該スピーカ装置を内蔵した映像表示装置を提供すること、を目的としてなされたものである。
【０００９】
【課題を解決するための手段】
上記課題を解決するために、第１の技術手段は、前面キャビネット及び背面キャビネットからなるスピーカボックスと、該スピーカボックス内に配設されたスピーカユニットと、該スピーカユニットの背面から出る音を位相反転させて前面に放射する筒状のダクトとを有するバスレフ型スピーカ装置において、前記ダクトは、筒状の長手方向に分割した２つのダクト部材からなり、１又は複数の略円弧状に湾曲した湾曲部を有し、前記ダクト部材のうちいずれか１つのダクト部材が前記背面キャビネット又は前面キャビネットの内側に固定又は一体成形されていることを特徴としたものである。
【００１０】
第２の技術手段は、第１の技術手段において、前記ダクトは、筒状の長手方向に断面円弧状に分割した２つのダクト部材からなり、１又は複数の略円弧状に湾曲した湾曲部と、該湾曲部の一端又は両端に延長する直線部とを有し、前記ダクト部材のうちいずれか１つのダクト部材が前記背面キャビネット又は前面キャビネットの内側に固定又は一体成形されていることを特徴としたものである。
【００１１】
第３の技術手段は、第１又は第２の技術手段において、前記ダクトは、前記２つのダクト部材の接合面を接着することにより形成されていることを特徴としたものである。
【００１２】
第４の技術手段は、第２又は第３の技術手段において、前記ダクトの直線部のうち最も長い直線部は、前記前面キャビネットと略平行に配設されていることを特徴としたものである。
【００１３】
第５の技術手段は、第２乃至第４の技術手段のいずれか１において、前記背面キャビネット又は前面キャビネットの内側に固定又は一体成形された前記ダクト部材の直線部の長さは、前記ダクトを形成する他のダクト部材の直線部の長さよりも長いことを特徴としたものである。
【００１４】
第６の技術手段は、第２乃至第５の技術手段のいずれか１において、前記前面キャビネットは、前記ダクトの湾曲部から延長した直線部を前面へ突出させるためのダクト開口部を有し、前記湾曲部が前記前面キャビネットのダクト開口部の近傍に配設されていることを特徴としたものである。
【００１５】
第７の技術手段は、第６の技術手段において、前記ダクト開口部から前面へ突出させた前記ダクトの直線部の先端内面の口径が、該ダクトの湾曲部から延長した他の直線部の先端内面の口径よりも大きいことを特徴としたものである。
【００１６】
第８の技術手段は、第６又は第７の技術手段において、前記前面キャビネットのダクト開口部の形状を、前記スピーカユニット開口面の方向と異なる方向にテーパ状に広げることにより、前記ダクト開口部から前面へ突出させた前記ダクトの直線部先端からの音の放音方向を前記スピーカユニット開口面の方向と異なる方向としたことを特徴としたものである。
【００１７】
第９の技術手段は、前面キャビネット及び背面キャビネットからなるスピーカボックスと、該スピーカボックス内に配設されたスピーカユニットと、該スピーカユニットの背面から出る音を位相反転させて前面に放射する蝸牛形状のダクトとを有するバスレフ型スピーカ装置において、前記ダクトは、断面円弧状に分割した２つのダクト部材からなり、該ダクト部材のうちいずれか１つのダクト部材が前記背面キャビネット又は前面キャビネットの内側に固定又は一体成形されていることを特徴としたものである。
【００１８】
第１０の技術手段は、第９の技術手段において、前記ダクトは、前記２つのダクト部材の接合面を接着することにより形成されていることを特徴としたものである。
【００１９】
第１１の技術手段は、第１乃至第１０の技術手段のいずれか１に記載のバスレフ型スピーカ装置を内蔵した映像表示装置とすることを特徴としたものである。
【００２０】
第１２の技術手段は、第１１の技術手段において、映像を表示する表示部を備えた表示部筐体を有し、該表示部筐体は、前記表示部下部の左右２ヶ所に前記バスレフ型スピーカ装置を設けると共に、筐体下部の略中央部を尖形としたことを特徴としたものである。
【００２１】
上記第１乃至第１２の技術手段のいずれか１によると、薄型表示部を備えた映像表示装置本体において奥行きを十分確保できない場合でも音響特性に必要なダクト長を確保して十分なレベルの低音域を再生可能とすると共に、ダクト内部及び出口付近における風切音の発生を防止することができる。
【００２２】
【発明の実施の形態】
図１は、本発明のバスレフ型スピーカ装置の一例を説明するための分解図で、本発明の一実施形態であるスピーカボックスの概要を示している。本バスレフ型スピーカ装置のスピーカボックスは、スピーカユニット３を、スピーカユニット３を配設するためのスピーカ開口部７とバスレフダクト４（すなわち、ダクト部材４ａ及びダクト部材４ｂからなるダクト）の先端開口部を外部（前面）に取り出すためのダクト開口部８とを有する前面キャビネット１、及び背面キャビネット２により一体化して構成され、前面キャビネット１及び背面キャビネット２の接合面に接着剤等を塗布して固着した後に、前面キャビネット１の４ヶ所の取付穴（１ａ〜１ｄ）及び背面キャビネット２の４ヶ所の取付ボス（２ａ〜２ｄ）を用いて、図示しないねじ（又はビス）等の固定部材により両キャビネットが固定される。従って、背面キャビネット２は本スピーカボックスの背面壁も兼ねている。
【００２３】
ここで、バスレフダクト４は、２つのダクト部材（ダクト部材４ａ及びダクト部材４ｂ）からなり、本例では、ダクト部材４ｂを背面キャビネット２と一体成形で構成し、ダクト部材４ａを単品構成としている。これらのダクト部材４ａ及びダクト部材４ｂは、その接合面同士が接着剤などの固着部材により密着固定されて筒状のバスレフダクト４を形成する。この際、ダクト部材４ａを前面キャビネット１と一体成形で構成し、ダクト部材４ｂを単品構成としてもよい。また、いずれかのダクト部材を前面キャビネット１又は背面キャビネット２と一体成形せずに、上記した接着剤やビス止め等の固着部材により前面キャビネット１又は背面キャビネット２に固定するようにしてもよい。また、ダクト部材４ａ及びダクト部材４ｂの使用材料は、両キャビネットの使用材料と同じ樹脂系材料の他に、例えばゴム系材料を用いてもよい。また、ダクト部材の分割数は２つに限らず、複数個としてもよい。
【００２４】
前面キャビネット１の外周部には、液晶テレビジョン受像機等の映像表示装置（後述）に本スピーカボックスを取り付けるための取付部５ａ〜５ｄを有する。また、６は例えばゴム部材からなる防振部材で、これらの防振部材６は各取付部５ａ〜５ｄの切り欠き部側から挿入され、各取付部５ａ〜５ｄにおいて挟持される。また、前面キャビネット１のスピーカ開口部７の周囲４ヶ所に設けた取付穴７ａ〜７ｄ及びスピーカユニット３に設けた取付穴３ａ〜３ｄを用いて、図示しないねじ（又はビス）等の固定部材によりスピーカユニット３を前面キャビネット１に固定する。
【００２５】
図２は、本発明に係わるスピーカボックスの側面からバスレフダクトを見た状態を示す断面図で、図中の矢印は風（音）の流れる方向を示す。図２（Ａ）は、図１に示したバスレフダクト４の断面図について示した図である。図２（Ｂ）は、他のバスレフダクトの断面図について示した図で、本実施形態のバスレフダクト４′は、ダクト部材４ａ′及びダクト部材４ｂ′の２つのダクト部材からなる。以下の説明においては図２（Ａ）に示すバスレフダクト４を代表例として説明する。
【００２６】
図１及び図２に示すように、バスレフダクト４において、ダクト長を長くとるために、ダクトの形状を直線部のみで構成するのではなく、前面キャビネット１に設けたダクト開口部８付近にかけて滑らかな略円弧状の湾曲部を設けている。すなわち、風の流れをさえぎる壁を作らない構造とするために、バスレフダクト４の内部には分離壁面（折り返し部分）を設けないようにしている。このような流線型構造とすることで、ダクト長を長くとることができると共に、ダクトの内部において風切音の発生を防止することができる。
【００２７】
また、図２に示すように、スピーカボックスの厚みを薄くするために、バスレフダクト４の長手方向に最も長い直線部と、スピーカボックスの前面キャビネット１とが略平行になるように配設されている。ここで、バスレフダクト４の最も長い直線部は、スピーカボックスの前面及び背面を除く他の１つ以上の壁面に対して垂直又は平行となるように配設する構成（図１）に限らず、スピーカボックスの前面及び背面を除く他の１つ以上の壁面に対して所定の角度をもって傾斜して配設するようにしてもよい。
【００２８】
本発明によると、バスレフダクトに湾曲部を設けると共に、当該ダクトを２つのダクト部材で構成し、そのダクト部材のいずれか１つを前面キャビネット又は背面キャビネットに固定又は一体成形することにより、必要なダクト長を確保しつつ、その内部にダクトを内蔵したスピーカボックスの高さ、幅、奥行きとも小さくすることができる。また、ダクト内部に折り返し構造部分が無いために、その内部において風切音の発生を防止することができる。
【００２９】
また、バスレフダクト４のダクト長は、ダクト部材４ａの長さを変更することで調整することができる。すなわち、図２（Ａ）に示すように、背面キャビネット２の内側に一体成形されたダクト部材４ｂの直線部の長さを、ダクト部材４ａの直線部の長さよりも長くしておく。このように、背面キャビネット２と一体成形するダクト部材４ｂのダクト長と、バスレフダクト４の直径とを所定の範囲で予め決めておくことで、音響特性に応じたダクト長の変更をダクト部材４ａのダクト長を変更するだけで容易に対応することができる。これは、例えば、ダクト部材４ａのダクト長（すなわち、直線部の長さ）を延長するための別のダクト部材４ｃを、図２（Ａ）に示す点線部に固定するようにしてもよい。
【００３０】
また、図１に示したように、バスレフダクト４の湾曲部の位置が前面キャビネット１のダクト開口部８の近傍に配設されているので、例えば、低音の音響特性を変更する場合は、スピーカボックスの大きさを変更することなく、上記湾曲部から延長する直線部の長さ（すなわち、ダクト開口部８から外部へ突出する部分の長さ）を調整して対応することが可能となる。
【００３１】
また、図１及び図２に示すように、前面キャビネット１のダクト開口部８から外部（前面）へ突出させたバスレフダクト４の直線部の先端内面の口径を、上記湾曲部から延長したもう一方の直線部の先端内面の口径よりも大きくすると共に、ダクト開口部８の形状を、図１に示したテーパ部８ａのように、スピーカユニット３が配設されているスピーカ開口部７の方向と異なる方向にテーパ状に広げることにより、ダクト開口部８から外部（前面）へ突出させたバスレフダクト４の直線部先端からの音の放音方向をスピーカ開口部７の方向と異なる方向になるようにする。このように構成することで、ダクト放音口付近における風圧を徐々に弱めてダクト出口付近における風切音を低減することができると共に、スピーカユニット３から出る音とバスレフダクト４から出る音とがぶつかりにくくなり、音響特性の向上を図ることができる。
【００３２】
さらに、上記テーパ形状の形成方向を、スピーカユニット３が配設されているスピーカ開口部７の方向と異なる方向、すなわち、本スピーカボックスを映像表示装置に内蔵した場合の当該表示装置の中心方向（図１に示したスピーカボックスの場合、前面キャビネット１から見て右斜め下方向）としているので、映像表示装置の前面近傍に壁等がある場合でも、風のはねかえりによる映像表示装置のビビリ音を低減することができる。
【００３３】
図３は、本発明のバスレフ型スピーカ装置の他の例を説明するための分解図で、本発明の他の実施形態であるスピーカボックスの概要を示している。本実施形態におけるバスレフ型スピーカ装置のスピーカボックスは、スピーカユニット３を、スピーカユニット３を配設するためのスピーカ開口部７とバスレフダクト９（すなわち、ダクト部材９ａ及びダクト部材９ｂからなるダクト）の先端開口部を外部（前面）に取り出すためのダクト開口部８とを有する前面キャビネット１、及び背面キャビネット２′により一体化して構成され、前面キャビネット１及び背面キャビネット２′の接合面に接着剤等を塗布して固着した後に、前面キャビネット１の４ヶ所の取付穴（１ａ〜１ｄ）及び背面キャビネット２′の４ヶ所の取付ボス（２ａ′〜２ｄ′）を用いて、図示しないねじ（又はビス）等の固定部材により両キャビネットが固定される。従って、背面キャビネット２′は本スピーカボックスの背面壁も兼ねている。尚、本実施形態のバスレフダクト９は、図１に示したバスレフダクト４と異なり、直線部を含まない湾曲部のみ、あるいは、湾曲部及び該湾曲部の一端に延長した直線部で構成されている。
【００３４】
ここで、バスレフダクト９は、２つのダクト部材（ダクト部材９ａ及びダクト部材９ｂ）からなり、本例では、ダクト部材９ｂを背面キャビネット２′と一体成形で構成し、ダクト部材９ａを単品構成としている。これらのダクト部材９ａ及びダクト部材９ｂは、その接合面同士が接着剤などの固着部材により密着固定されて筒状のバスレフダクト９を形成する。この際、ダクト部材９ａを前面キャビネット１と一体成形で構成し、ダクト部材９ｂを単品構成としてもよい。また、いずれかのダクト部材を前面キャビネット１又は背面キャビネット２′と一体成形せずに、上記した接着剤やビス止め等の固着部材により前面キャビネット１又は背面キャビネット２′に固定するようにしてもよい。また、ダクト部材９ａ及びダクト部材９ｂの使用材料は、両キャビネットの使用材料と同じ樹脂系材料の他に、例えばゴム系材料を用いてもよい。また、ダクト部材の分割数は２つに限らず、複数個としてもよい。
【００３５】
図４は、本発明に係わる他のスピーカボックスの側面から他のバスレフダクトを見た状態を示す断面図で、図中の矢印は風（音）の流れる方向を示す。図４（Ａ）は、図３に示したバスレフダクト９の断面図について示した図である。図４（Ｂ）は、他のバスレフダクトの断面図について示した図で、本実施形態のバスレフダクト９′は、ダクト部材９ａ′及びダクト部材９ｂ′の２つのダクト部材からなる。
【００３６】
図４（Ａ）に示すバスレフダクト９は、ダクト長を長くとるために、そのダクト形状に直線部を含まずに、前面キャビネット１に設けたダクト開口部８付近にかけて滑らかな略円弧状の湾曲部のみで構成されている。また、図４（Ｂ）に示すバスレフダクト９′は、ダクト長を長くとるために、湾曲部と該湾曲部の一端に延長した直線部とで構成されている。すなわち、風の流れをさえぎる壁を作らない構造とするために、バスレフダクト９及びバスレフダクト９′の内部には分離壁面（折り返し部分）を設けないようにしている。このような流線型構造とすることで、ダクト長を長くとることができると共に、ダクトの内部において風切音の発生を防止することができる。
【００３７】
図５は、本発明のバスレフ型スピーカ装置の他の例を説明するための分解図で、本発明の他の実施形態であるスピーカボックスの概要を示している。本バスレフ型スピーカ装置のスピーカボックスは、スピーカユニット１３を、スピーカユニット１３を配設するためのスピーカ開口部１７とバスレフダクト１４（すなわち、ダクト部材１４ａ及びダクト部材１４ｂからなるダクト）の先端開口部を外部に取り出すためのダクト開口部１８とを有する前面キャビネット１１、及び背面キャビネット１２により一体化して構成され、前面キャビネット１１及び背面キャビネット１２の接合面に接着剤等を塗布して接着固定される。従って、背面キャビネット１２は本スピーカボックスの背面壁も兼ねている。尚、本実施形態のバスレフダクト１４は、図１（又は図３）に示した筒状のバスレフダクト４（又はバスレフダクト９）と異なり、蝸牛形状に構成されている。
【００３８】
ここで、バスレフダクト１４は、２つのダクト部材（ダクト部材１４ａ及びダクト部材１４ｂ）からなり、本例では、ダクト部材１４ｂを背面キャビネット１２に固定して構成し、ダクト部材１４ａを単品構成としている。
図６は、背面キャビネット１２にダクト部材１４ｂを固定した状態を示す斜視図である。尚、ダクト部材１４ｂを背面キャビネット１２と一体成形で構成し、ダクト部材１４ａを単品構成としてもよい。
【００３９】
これらのダクト部材１４ａ及びダクト部材１４ｂは、その接合面同士が接着剤などの固着部材により密着固定されて蝸牛形状のバスレフダクト１４を形成する。この際、ダクト部材１４ａを前面キャビネット１１に固定又は一体成形で構成し、ダクト部材１４ｂを単品構成としてもよい。また、いずれかのダクト部材を前面キャビネット１１又は背面キャビネット１２と一体成形せずに固定する場合、上記した接着剤等の固着部材により固定するようにする。また、ダクト部材１４ａ及び１４ｂの使用材料は、両キャビネットの使用材料と同じ樹脂系材料の他に、例えばゴム系材料を用いてもよい。また、ダクト部材の分割数は２つに限らず、複数個としてもよい。
【００４０】
前面キャビネット１１の外周部には、液晶テレビジョン受像機等の映像表示装置（後述）に本スピーカボックスを取り付けるための取付部１５ａ〜１５ｃを有する。また、１６は例えばゴム部材からなる防振部材で、これらの防振部材１６は各取付部１５ａ〜１５ｃの切り欠き部側から挿入され、各取付部１５ａ〜１５ｃにおいて挟持される。また、前面キャビネット１１内側のスピーカ開口部１７の周囲４ヶ所に設けた取付穴１７ａ〜１７ｄ及びスピーカボックス１３に設けた取付穴１３ａ〜１３ｄを用いて、ねじ（又はビス）等の固定部材１９によりスピーカユニット１３を前面キャビネット１１に固定する。
【００４１】
図５に示すように、バスレフダクト１４において、ダクト長を長くとるために、ダクトの形状を蝸牛形状に構成している。すなわち、風の流れをさえぎる壁を作らない構造とするために、バスレフダクト１４の内部には分離壁面（折り返し部分）を設けないようにしている。このような流線型構造とすることで、ダクト長を長くとることができると共に、ダクトの内部において風切音の発生を防止することができる。
【００４２】
本発明によると、バスレフダクトを蝸牛形状に構成すると共に、当該ダクトを２つのダクト部材で構成し、そのダクト部材のいずれか１つを前面キャビネット又は背面キャビネットに固定又は一体成形することにより、必要なダクト長を確保しつつ、その内部にダクトを内蔵したスピーカボックスの高さ、幅、奥行きとも小さくすることができる。また、ダクト内部に折り返し構造部分が無いために、その内部における風切音の発生を防止することができる。
【００４３】
また、前面キャビネット１１のダクト開口部１８から外部（前面）へ突出させたバスレフダクト１４の先端内面の口径を、もう一方の先端内面の口径よりも大きくすると共に、ダクト開口部１８の形状を、図５に示すテーパ部１８ａのように、スピーカユニット１３が配設されているスピーカ開口部１７の方向と異なる方向にテーパ状に広げることにより、ダクト開口部１８から外部（前面）へ突出させたバスレフダクト１４の先端からの音の放音方向をスピーカ開口部１７の方向と異なる方向になるようにする。このように構成することで、ダクト放音口付近における風圧を徐々に弱めてダクト出口付近における風切音を低減することができると共に、スピーカユニット１３から出る音とバスレフダクト１４から出る音とがぶつかりにくくなり、音響特性の向上を図ることができる。
【００４４】
さらに、上記テーパ形状の形成方向を、スピーカユニット１３が配設されているスピーカ開口部１７の方向と異なる方向、すなわち、本スピーカボックスを映像表示装置に内蔵した場合の当該表示装置の中心方向（図５に示すスピーカボックスの場合、前面キャビネット１１から見て右斜め下方向）としているので、映像表示装置の前面近傍に壁等がある場合でも、風のはねかえりによる映像表示装置のビビリ音を低減することができる。
【００４５】
以下、本発明のスピーカボックスを映像表示装置のフロントパネルに取り付けた取り付け構造の一例について、以下に示す図７乃至図９に基づいて説明する。尚、本発明のスピーカボックスの取り付け構造における各実施形態について、図５に示したスピーカボックスを代表例として以下に説明するが、本発明は、図１又は図３に示したスピーカボックスにも同様に適用が可能であることは言うまでもない。
【００４６】
図７は、本発明のスピーカボックスを映像表示装置のフロントパネルに１つずつ取り付ける際に後面から見た斜視図である。また、図８は、本発明のスピーカボックスを映像表示装置のフロントパネルに取り付ける際に前面から見た斜視図である。また、図９は、本発明のスピーカボックスを映像表示装置のフロントパネルに取り付けた状態を後面から見た斜視図である。
【００４７】
図７乃至図９において、２１は液晶テレビジョン受像機のフロントパネルで、本スピーカボックスは、前面キャビネット１１，背面キャビネット１２を有する。さらに、本スピーカボックスは、前面キャビネット１１の外周部に突設して設けられた取付部１５ａ，１５ｂ，１５ｃを有する。また、防振部材１６は各取付部１５ａ，１５ｂ，１５ｃの切り欠き部側からそれぞれ挿入され挟持される。また、２２はテレビジョン受像機のフロントパネル２１の背面側に、フロントパネル２１と一体で構成されると共に内部方向に突設して設けられたボスである。２３はダクト開口部１８に合わせてその放音口の周囲に設けたテーパ部である。このテーパ部２３は、前面キャビネット１１に設けたテーパ部１８ａのテーパ形状に合わせた形状となっている。
【００４８】
また、２０は本スピーカボックスをテレビジョン受像機のフロントパネル２１の背面部に設けたボス２２に取付け固定するねじである。このねじ２０を用いてフロントパネル２１にスピーカボックスが固定された後に、テレビジョン受像機の図示しないバックパネルがフロントパネル２１に取り付けられる。尚、本発明の課題に係わらないねじやボスは図示していないものとする。
【００４９】
スピーカボックスの前面キャビネット１１の外周部に設けた上記それぞれ３つの取付部１５ａ〜１５ｃの形状は、先端部を内側に凹状に切り欠いた形状とし、各取付部１５ａ〜１５ｃには、防振部材１６（本実施例ではゴムブッシュを使用）が凹状部分に挿入固定されている。これらの防振部材１６を各取付部１５ａ〜１５ｃに固定して設けることでスピーカボックスの振動が各取付部１５ａ〜１５ｃを通じてテレビジョン受像機の筐体へ伝導するのを抑制している。本実施例では防振部材の材料にゴムを用いたが、例えばシリコンゴム等を好適に用いることができる。また、防振部材はこれに限定されるものではなく、例えば、ばね、板ばねや、ウレタン等の各種弾性材料を用いてもよい。
【００５０】
図１０は、本発明のバスレフ型スピーカ装置を内蔵した映像表示装置の一例を示す正面図である。図１０（Ａ）は、映像表示装置単体の一例を示す正面図で、図中、３０は映像表示装置で、該映像表示装置３０は、フロントパネル３１，映像を表示するための表示部３２，ダクト開口部１８に合わせてその放音口の周囲に設けたテーパ部３３を有し、本発明のスピーカボックスが表示部３２の下部左右２ヶ所にそれぞれ配設されている。また、図１０（Ｂ）は、映像表示装置３０をスタンドで支持した状態の一例を示す正面図で、映像表示装置３０は、フロントパネル３１，映像を表示するための表示部３２，テーパ部３３，さらにスタンド３４を有し、本発明のスピーカボックスが表示部３２の下部左右２ヶ所にそれぞれ配設されている。尚、テーパ部３３は、前面キャビネット１１に設けたテーパ部１８ａのテーパ形状に合わせた形状となっている。
【００５１】
また、図１１は、本発明のスピーカボックスを図１０に示した映像表示装置３０のフロントパネル３１に取り付けた状態を後面から見た斜視図である。図１２は、本発明のスピーカボックスを図１０に示した映像表示装置３０のフロントパネル３１に取り付ける際に前面から見た斜視図である。
【００５２】
図１０乃至図１２に示したように、本実施形態の映像表示装置３０は、フロントパネル３１の下部中央部３１ａを尖形としている。これについて、例えば、図５に示したスピーカボックスを代表例として説明する。
図５において、本スピーカボックスの前面キャビネット１１におけるダクト開口部１８に設けたテーパ部１８ａのように、バスレフダクト１４の放音口の形状をテーパ状に徐々に広げる形状としているので、バスレフダクト１４の出口における風切音を低減すると共に、テーパ部１８ａの放音方向を斜め下方向、すなわち、映像表示装置３０の中心方向に向くように形成している。従って、上記テーパ部１８ａの形状に合わせてフロントパネル３１の下部中央部３１ａを尖った形状としている。これにより、映像表示装置３０に薄型のスピーカボックスを搭載できる形状とすると共に、バスレフダクト１４からの放音を前面に放出するのではなく、斜め下方向に放出し、映像表示装置３０の前面近傍に壁等があっても、風のはねかえりによるビビリ音を低減することが可能となる。
【００５３】
ここで、テーパ部１８ａを前面キャビネット１１におけるダクト開口部１８に設ける代わりに、スピーカユニット１３のスピーカ開口部１７に設けてもよいし、あるいはダクト開口部１８とスピーカ開口部１７の両方に設けて、それぞれ放音方向を変えるようにしてもよい。また、フロントパネル３１に設けるスピーカユニットやダクト数、及びそれらの取り付け位置によりそれぞれ設定する放音方向に応じてテーパ部を設ける箇所を選択してもよい。
【００５４】
【発明の効果】
本発明によると、薄型表示部を備えた映像表示装置本体において奥行きを十分確保できない場合でも、薄型スピーカボックスを搭載することができ、必要なダクト長を確保して十分なレベルの低音域を再生可能とすると共に、ダクト内部に折り返し構造部分を無くしたため、ダクト内部及び出口付近における風切音の発生を防止することができる。
【図面の簡単な説明】
【図１】本発明のバスレフ型スピーカ装置の一例を説明するための分解図である。
【図２】本発明に係わるスピーカボックスの側面からバスレフダクトを見た状態を示す断面図である。
【図３】本発明のバスレフ型スピーカ装置の他の例を説明するための分解図である。
【図４】本発明に係わる他のスピーカボックスの側面から他のバスレフダクトを見た状態を示す断面図である。
【図５】本発明のバスレフ型スピーカ装置の他の例を説明するための分解図である。
【図６】背面キャビネットにダクト部材を固定した状態を示す斜視図である。
【図７】本発明のスピーカボックスを映像表示装置のフロントパネルに左右１つずつ取り付ける際に後面から見た斜視図である。
【図８】本発明のスピーカボックスを映像表示装置のフロントパネルに取り付ける際に前面から見た斜視図である。
【図９】本発明のスピーカボックスを映像表示装置のフロントパネルに取り付けた状態を後面から見た斜視図である。
【図１０】本発明のバスレフ型スピーカ装置を内蔵した映像表示装置の一例を示す正面図である。
【図１１】本発明のバスレフ型スピーカ装置を図１０に示した映像表示装置のフロントパネルに取り付けた状態を後面から見た斜視図である。
【図１２】本発明のスピーカボックスを図１０に示した映像表示装置のフロントパネルに取り付ける際に前面から見た斜視図である。
【図１３】従来のバスレフ型スピーカ装置の断面図である。
【符号の説明】
１，１１…前面キャビネット、１ａ〜１ｄ，３ａ〜３ｄ，７ａ〜７ｄ，１３ａ〜１３ｄ，１７ａ〜１７ｄ…取付穴、２，２′，１２…背面キャビネット、２ａ〜２ｄ，２ａ′〜２ｄ′…取付ボス、３，１３…スピーカユニット、４，４′，９，９′，１４…バスレフダクト、４ａ，４ｂ，４ｃ，４ａ′，４ｂ′，９ａ，９ｂ，９ａ′，９ｂ′，１４ａ，１４ｂ…ダクト部材、５ａ〜５ｄ，１５ａ〜１５ｃ…取付部、６，１６…防振部材、７，１７…スピーカ開口部、８，１８…ダクト開口部、８ａ，１８ａ，２３，３３…テーパ部、１９…固定部材、２０…ねじ、２１，３１…フロントパネル、２２…ボス、３０…映像表示装置、３１ａ…下部中央部、３２…表示部、３４…スタンド。
【図１】
2004343548.tif 000003
【図２】
2004343548.tif 000004
【図３】
2004343548.tif 000005
【図４】
2004343548.tif 000006
【図５】
2004343548.tif 000007
【図６】
2004343548.tif 000008
【図７】
2004343548.tif 000009
【図８】
2004343548.tif 000010
【図９】
2004343548.tif 000011
【図１０】
2004343548.tif 000012
【図１１】
2004343548.tif 000013
【図１２】
2004343548.tif 000014
【図１３】
2004343548.tif 000015